(57)【特許請求の範囲】
【請求項１】
電子機器を操作するための釦が設けられ、該釦に加えられた力によって該電子機器のメインサーキット用のプリント配線基板に配設された電気スイッチを操作するように構成された１つの部材からなる伝達機構を備えた電子機器において、
上記伝達機構が、
一端が上記電子機器に第１の弾部を介して折れ曲がり自在に結合され、上記釦に加えられた力によって折れ曲がる第１のレバー部材と、
一端が上記電子機器に第２の弾部を介して折れ曲がり自在に結合される垂直部分と、上記垂直部分から上記垂直部分と直角方向でかつ上記釦と反対の方向に突出し、上記垂直部分と一体に変位することにより先端部が電気スイッチを操作するアームを備えた第２のレバー部材と、
上記第１のレバー部材と上記第２のレバー部材とを連結し、上記第１のレバー部材の折れ曲がりによる移動を上記第２のレバー部材の上記垂直部分を介して上記アームの上記先端部に伝達する第３の弾部と、
を有することを特徴とする電子機器。
【請求項２】
請求項１記載の電子機器において、上記釦は第１の弾部と一体的に構成されていることを特徴とする電子機器。
【請求項３】
請求項１記載の電子機器において、上記第１の弾部は上記第１のレバー部材に溝部を設けることによって構成されていることを特徴とする電子機器。
【請求項４】
請求項１記載の電子機器において、上記第２の弾部は上記第２のレバー部材に溝部を設けることによって構成されていることを特徴とする電子機器。
【請求項５】
請求項１記載の電子機器において、上記第１のレバー部材と上記第２のレバー部材は連結部材によって連結され、上記第３の弾部は上記連結部材の２つの連結部の少なくとも一方に設けられた弾部より構成されていることを特徴とする電子機器。
【請求項６】
請求項１記載の電子機器において、上記第１のレバー部材と上記第２のレバー部材は連結部材によって連結され、上記第３の弾部は上記連結部材の少なくとも一部に設けられた弾部より構成されていることを特徴とする電子機器。
【請求項７】
請求項１記載の電子機器において、上記伝達機構は一体的に形成された枠状部を有し、上記第１及び第２の弾部は上記枠状部に連結され、上記枠状部は上記電子機器に固定するための取り付け部を有し、上記枠状部が上記電子機器に上記取り付け部にて固定されていることを特徴とする電子機器。
【請求項８】
請求項７記載の電子機器において、上記枠状部には複数の伝達機構が一体的に構成されていることを特徴とする電子機器。
【請求項９】
電子機器に設けられた釦に加えられた力を、該電子機器の所定の位置に設けられた電気スイッチまで伝達するための伝達機構と、上記電子機器に固定するための取り付け部を備えた枠状部からなり、上記伝達機構及び上記枠状部が１つの部材からなる伝達装置において、
上記伝達機構が、
一端が上記電子機器に第１の弾部を介して折れ曲がり自在に結合され、上記釦に加えられた力によって折れ曲がる第１のレバー部材と、
一端が上記電子機器に第２の弾部を介して折れ曲がり自在に結合される垂直部分と、上記垂直部分から上記垂直部分と直角方向でかつ上記釦と反対の方向に突出し、上記垂直部分と一体に変位することにより先端部が電気スイッチを操作するアームを備えた第２のレバー部材と、
上記第１のレバー部材と上記第２のレバー部材とを連結し、上記第１のレバー部材の折れ曲がりによる移動を上記第２のレバー部材の上記垂直部分を介して上記アームの上記先端部に伝達する第３の弾部と、
を有することを特徴とする伝達装置。
【発明の詳細な説明】
【０００１】
【発明の属する技術分野】
本発明はＶＴＲ（ビデオテープレコーダ）等の電子機器に関し、特に、前面の操作パネルに装着された押し釦装置のリンク機構に関する。
【０００２】
【従来の技術】
電子機器のフロントパネルには、操作用押し釦が配設されており、この押し釦とプリント配線基板上に配設されたスイッチを連結するために、リンク機構が設けられている。従来、様々な形式、構造のリンク機構が開発され、使用されている。
【０００３】
図１８及び図１９を参照して従来の電子機器の押し釦装置のリンク機構の第１の例を説明する。このリンク機構は複数のＬ字形のレバー部材１８０を有し、各レバー部材は垂直な押し部材１８３と水平なアーム１８４とを有する。各レバー部材１８０はヒンジ１８６を介して取り付け部１８５に接続されている。
【０００４】
押し部材１８３の外面には突起状の釦１８９が設けられている。アーム１８４の先端は、プリント配線基板２００に設けられた押し釦式スイッチ２１０の上に配置されている。図１９に示すように、釦１８９を指で押すと、Ｌ字形のレバー部材１８０はヒンジ１８６を通る紙面に垂直な枢動軸線周りに枢動し、レバー部材のアーム１８４の先端は下方に移動する。それによって押し釦式スイッチ２１０が作動する。
【０００５】
図２０及び図２１を参照して従来の電子機器の押し釦装置のリンク機構の第２の例を説明する。このリンク機構は複数のＬ字形のレバー部材１９０（図２０及び図２１ではそのうちの１つのみを示す。）を有し、各レバー部材は垂直な押し部材１９３と水平なアーム１９４とを有する。垂直な押し部材１９３の上端にはヒンジ１９２が設けられ、ヒンジ１９２の上には取り付け部１９１が装着されている。この取り付け部１９１は電子機器のキャビネットに取り付けられている。
【０００６】
押し部材１９３の外面には突起状の釦１９９が設けられている。アーム１９４の先端は、プリント配線基板２００に設けられた押し釦式スイッチ２２０上に配置されている。図２１に示すように、釦１９９を指で押すと、Ｌ字形のレバー部材１９０はヒンジ１９２を通る紙面に垂直な枢動軸線周りに枢動し、レバー部材のアーム１９４の先端は水平方向に移動する。それによって押し釦式スイッチ２２０が作動する。
【０００７】
【発明が解決しようとする課題】
従来の電子機器の押し釦装置のリンク機構では、設計変更によって押し釦の位置を変えることが困難であった。例えば、押し釦の位置を押し部材１８３、１９３上で上下方向に沿って変化させると、力のモーメントの腕の長さが変化し、押し釦式スイッチに作用する力の大きさが変化する。押し釦の位置を水平方向に沿って変化させると、力の作用線とスイッチに加わる力の作用線がずれ、レバー部材が捻れる。従って、押し釦スイッチに加わる力が変化し、操作感が悪くなる。
【０００８】
図２０及び図２１の例では、アーム１９４の先端は水平方向に移動する。従って、この例では横方向に力を加えることによって操作するように構成された縦型のスイッチを使用する必要がある。縦型のスイッチは、図１８及び図１９の例のような平面型のスイッチと比較して価格が高いという欠点がある。
【０００９】
また、これらの例では、ヒンジによってレバー部材が片持ち支持された構造となっており、モールド成型によってこれを製造するとき、ヒンジの肉薄部にて曲がり易く、不良品が発生する可能性がある。
【００１０】
従って、本発明は、押し釦の位置を自由に選択することが比較的容易な電子機器及びそのような押し釦装置のリンク装置を提供することを目的とする。
【００１１】
本発明は、押し釦装置の操作性に優れた電子機器を提供することを目的とする。
【００１２】
【課題を解決するための手段】
本発明によると、電子機器を操作するための釦が設けられ、該釦に加えられた力によって該電子機器のメインサーキット用のプリント配線基板に配設された電気スイッチを操作するように構成された１つの部材からなる伝達機構を備えた電子機器において、上記伝達機構が、
一端が上記電子機器に第１の弾部を介して折れ曲がり自在に結合され、上記釦に加えられた力によって折れ曲がる第１のレバー部材と、
一端が上記電子機器に第２の弾部を介して折れ曲がり自在に結合される垂直部分と、上記垂直部分から上記垂直部分と直角方向でかつ上記釦と反対の方向に突出し、上記垂直部分と一体に変位することにより先端部が電気スイッチを操作するアームを備えた第２のレバー部材と、
上記第１のレバー部材と上記第２のレバー部材とを連結し、上記第１のレバー部材の折れ曲がりによる移動を上記第２のレバー部材の上記垂直部分を介して上記アームの上記先端部に伝達する第３の弾部と、を有する。
【００１３】
本発明によると、電子機器に設けられた釦に加えられた力を、該電子機器の所定の位置に設けられた電気スイッチまで伝達するための伝達機構と、上記電子機器に固定するための取り付け部を備えた枠状部からなり、上記伝達機構及び上記枠状部が１つの部材からなる伝達装置において、上記伝達機構が、
一端が上記電子機器に第１の弾部を介して折れ曲がり自在に結合され、上記釦に加えられた力によって折れ曲がる第１のレバー部材と、
一端が上記電子機器に第２の弾部を介して折れ曲がり自在に結合される垂直部分と、上記垂直部分から上記垂直部分と直角方向でかつ上記釦と反対の方向に突出し、上記垂直部分と一体に変位することにより先端部が電気スイッチを操作するアームを備えた第２のレバー部材と、
上記第１のレバー部材と上記第２のレバー部材とを連結し、上記第１のレバー部材の折れ曲がりによる移動を上記第２のレバー部材の上記垂直部分を介して上記アームの上記先端部に伝達する第３の弾部と、を有する。尚、弾部は折り曲げ部又はヒンジと言い換えてよい。
【００１４】
上述のように、リンク機構は両側にて固定され、第１のレバー部材と第２のレバー部材は互いに異なる枢動軸周りに回転するから、上側の下側の押し釦の位置を変更しても良好な操作感が得られる。見方を変えると、２つのレバー部材を１つの連結部材によって連結した構造を有するから、２つのレバー部材の長さを変化させることによって釦を押すための力及び釦の移動のストロークが微妙に変化し、操作感が良好な釦装置を得ることができる。
【００１５】
【発明の実施の形態】
図１を参照して、本発明の押し釦装置のリンク機構が装着された電子機器の例として、ＶＴＲ（ビデオテープレコーダ）を説明する。ＶＴＲ１は本体２とフロントパネル即ち、操作パネル３を有し、操作パネル３にはテープカセット挿入口４、表示パネル５、押し釦等が装着されている。尚、ＶＴＲ１の前端の下側には１対の脚部７−１、７−２が装着されている。
【００１６】
図２を参照してフロントパネル３に設けられた押し釦を説明する。押し釦は、円形の再生／停止釦１００、その両側の早送り／キュー釦１０２及び巻き戻し／レビュー釦１０５、その下側の録画釦１０１及び一時停止釦１０６等を含む。再生／停止釦１００の表面には、上側に三角形、下側に四角形が表示されている。三角形の部分を押すと、再生モードとなり、四角形の部分を押すと停止モードとなる。
【００１７】
停止モードの時に、早送り／キュー釦１０２を押すと、早送りモードとなり、画像を表示することなくテープが早送りされる。再生モードのときに早送り／キュー釦１０２を押すと、キューモードとなり、画像を表示しながらテープが早送りされる。停止モードの時に、巻き戻し／レビュー釦１０５を押すと、巻き戻しモードとなり、画像を表示することなくテープが巻き戻される。再生モードのときに巻き戻し／レビュー釦１０５を押すと、レビューモードとなり、画像を表示しながらテープが巻き戻される。フロントパネル３にはこれ以外の押し釦があるがその説明は省略する。
【００１８】
図３、図４及び図５を参照して、本発明による電子機器の押し釦のリンク装置の例を説明する。本例のリンク装置は、略矩形のフレーム８とこのフレームの中に配置された６つのリンク部材１０、２０、３０、４０、５０、６０を含む。第１のリンク部材１０は録画釦１０１に対応して設けられ、第２のリンク部材２０は早送り／キュー釦１０２に対応して設けられ、第３及び第４のリンク部材３０、４０は再生／停止釦１００に対応して設けられ、第５のリンク部材５０は巻き戻し／レビュー釦１０５に対応して設けられ、第６のリンク部材６０は一時停止釦１０６に対応して設けられている。
【００１９】
録画釦１０１、早送り／キュー釦１０２、巻き戻し／レビュー釦１０５及び一時停止釦１０６はそれぞれ、第１、第２、第５及び第６のリンク部材１０、２０、５０、６０と一体的に形成されてよい。再生／停止釦１００は第３及び第４のリンク部材３０、４０とは別個の部材として構成されてよい。再生／停止釦１００の裏面には２つの突起１２５、１２７が設けられ、これらの突起はそれぞれ第３及び第４のリンク部材３０、４０に当接することができるように構成されている。
【００２０】
図４にリンク装置の背面の構造を示す。図示のように第２、第３、第４及び第５のリンク部材２０、３０、４０、５０はフレーム８の上枠部材８−１から下枠部材８−２まで延在しているが、第１及び第６のリンク部材１０、６０は横枠部材８−３、８−４の突起８−３Ａ、８−４Ａから下枠部材８−２まで延在している。これらの隣接するリンク部材の間には間隙が形成されている。
【００２１】
フレーム８には、このリンク装置を電子部品のキャビネット３に取り付けるための取付部が設けられてよい。本例では、上枠部材８−１の下側に第１の取付部８−１１が設けられ、下枠部材８−２の上側にも同様に第２の取付部（図示なし）が設けられている。横枠部材８−２、８−３にはそれぞれ第３の取付部８−３１、８−３２、８−４１、８−４２が設けられている。これらの取付部はフレーム８と一体的に形成されてよい。
【００２２】
図５に示すように、第１〜第６のリンク部材１０、２０、３０、４０、５０、６０は真っ直ぐではなく湾曲してよく、また途中で幅が変化してよい。フレーム８及びリンク部材１０、２０、３０、４０、５０、６０は、モールド成型によって形成されてよく、好ましくは単一の部材より形成される。こうして、フレーム８及びリンク部材１０、２０、３０、４０、５０、６０を一体成型によって単一の部材より形成する場合、各リンク部材の両端はフレームに接続されている。従って、成型工程にて、リンク部材が薄肉のヒンジを含んでも、変形等によって不良品が発生する可能性が少ない。この場合、フレーム８は図示のように閉じた四角形であってよいが、一辺が欠けた四角形であってもよく、必要に応じて所望の形状が選択される。
【００２３】
重要なのは、各リンク部材の両端は、互いに異なる位置にてフレームにそれぞれ接続され、フレームとフレームに接続されたリンク部材は一体的な構造となっている。こうしてフレームにリンク部材の両端が支持されているため、成型工程にて各リンク部材が変形することが防止される。
【００２４】
図６〜図１１を参照して、各リンク部材の構造を説明する。先ず、図６、図７及び図８を参照して第２のリンク部材２０を説明する。第２のリンク部材２０は第１のヒンジ２２と第１のレバー部材２３と第２のヒンジ２４と連結部材２５と第３のヒンジ２６とＴ字形の第２のレバー部材２７と第４のヒンジ２８とを有する。第１〜第４のヒンジ２２、２４、２６、２８は図示のように、リンク部材２０の薄肉部として構成されてよい。
【００２５】
第１のレバー部材２３は垂直に配置されてよく、その外面には早送り／キュー釦１０２が装着されている。上述のように、早送り／キュー釦１０２は第１のレバー部材２３と一体的に形成されてよい。早送り／キュー釦１０２はフロントパネル３の開口部３Ａより突出するように設けられている。第１のヒンジ２２及び第４のヒンジ２８はそれぞれフレームの上枠部材８−１及び下枠部材８−２に装着されている。フレームの上枠部材８−１及び下枠部材８−２はフロントパネル３に装着される。
【００２６】
Ｔ字形の第２のレバー部材２７は垂直部分２７Ａと水平なアーム２７Ｂとを有し、アーム２７Ｂの先端は、プリント配線基板２００に装着されたスイッチ２１２上に配置されている。
【００２７】
図８に示すように、早送り／キュー釦１０２を押すと、第１のレバー部材２３は第１のヒンジ２２を通る紙面に垂直な枢動軸線周りに枢動する。それによって第１のレバー部材２３の下端は矢印にて示すように水平方向内方に移動する。第１のレバー部材２３の下端の移動は、連結部材２５を介してＴ字形の第２のレバー部材２７に伝達される。それによって、第２のレバー部材２７は第４のヒンジ２８を通る紙面に垂直な枢動軸線周りに枢動する。第２のレバー部材２７のアーム２７Ｂの先端は下方に移動し、スイッチ２１２が作動する。
【００２８】
第１のレバー部材２３は反時計方向に枢動し、第２のレバー部材２７は時計方向に枢動する。従って、第１のレバー部材２３の下端の運動軌跡と第２のレバー部材２７の上端の運動軌跡は同一とはならない。連結部材２５の両端には第２及び第３のヒンジ２４、２６が設けられ、この２つのヒンジ２４、２６の変形によって、連結部材２５は自由に移動することができる。連結部材２５の移動によって２つの運動軌跡のずれが吸収される。
【００２９】
図９及び図１０を参照して第３及び第４のリンク部材３０、４０を説明する。第３及び第４のリンク部材３０、４０は第１のヒンジ３２、４２と第１のレバー部材３３、４３と第２のヒンジ３４、４４と連結部材３５、４５と第３のヒンジ３６、４６とＴ字形の第２のレバー部材３７、４７と第４のヒンジ３８、４８とを有する。第１〜第４のヒンジ３２、４２、３４、４４、３６、４６、３８、４８は図示のように、リンク部材３０、４０の薄肉部として構成されてよい。
【００３０】
第１のレバー部材３３、４３は垂直に配置されてよく、その前側には再生／停止釦１００が配置されている。再生／停止釦１００、フロントパネル３の開口部３Ｂ内に配置されている。第１のヒンジ３２、４２及び第４のヒンジ３８、４８はそれぞれフレームの上枠部材８−１及び下枠部材８−２に装着されている。フレームに設けられた取付部８−２１は図示のようにフロントパネル３に装着される。
【００３１】
Ｔ字形の第２のレバー部材３７、４７は垂直部分３７Ａ、４７Ａと水平なアーム３７Ｂ、４７Ｂとを有し、アーム３７Ｂ、４７Ｂの先端は、プリント配線基板２００に装着されたスイッチ２１３、２１４上に配置されている。
【００３２】
図２に示したように、再生／停止釦１００の表面の上側には、再生を意味する三角形が付され、下側には停止を意味する四角形が付されている。一方、再生／停止釦１００の裏面には、それに対応した突起１２５（図９、図３）、１２７（図１０、図３）が設けられている。図５のＸ印は、突起１２５、１２７の位置を示す。図示のように、再生の表示（三角形）に対応して設けられた上側の突起１２５は、第３のリンク部材３０の第１のレバー部材３３の上に配置され、停止の表示（四角形）に対応して設けられた下側の突起１２７は、第４のリンク部材４０の第１のレバー部材４３の上に配置されている。
【００３３】
再生／停止釦１００は、図９及び図１０に示すように、枢動軸１２１周りに枢動可能に装着されている。この枢動軸１２１は、再生／停止釦１００の背後にて再生／停止釦１００の中央を横断し、水平に即ち、紙面に垂直に配置されている。尚、枢動軸１２１に隣接してばね１２９が装着され、このばね１２９によって再生／停止釦１００は元の位置に復元するように付勢されている。
【００３４】
図９を参照する。再生／停止釦１００の上側の再生の表示（三角形）を押すと、再生／停止釦１００は枢動軸１２１周りに時計方向に回転し、上側の突起１２５が内方に移動する。それによって第３のリンク部材３０の第１のレバー部材３３は第１のヒンジ３２周りに枢動する。第１のレバー部材３３の下端は矢印にて示すように水平方向内方に移動する。第１のレバー部材３３の下端の移動は、連結部材３５を介してＴ字形の第２のレバー部材３７に伝達される。それによって、第２のレバー部材３７は第４のヒンジ３８を通る紙面に垂直な枢動軸線周りに枢動する。第２のレバー部材３７のアーム３７Ｂの先端は下方に移動し、スイッチ２１３が作動する。
【００３５】
図１０を参照する。再生／停止釦１００の下側の停止の表示（四角形）を押すと、再生／停止釦１００は枢動軸１２１周りに反時計方向に回転し、下側の突起１２７が内方に移動する。それによって第４のリンク部材４０の第１のレバー部材４３は第１のヒンジ４２周りに枢動する。第１のレバー部材４３の下端は矢印にて示すように水平方向内方に移動する。第１のレバー部材４３の下端の移動は、連結部材４５を介してＴ字形の第２のレバー部材４７に伝達される。それによって、第２のレバー部材４７は第４のヒンジ４８を通る紙面に垂直な枢動軸線周りに枢動する。第２のレバー部材４７のアーム４７Ｂの先端は下方に移動し、スイッチ２１４が作動する。
【００３６】
図１１を参照して第１のリンク部材１０を説明する。第１のリンク部材１０は第１のヒンジ１２と第１のレバー部材１３と第２のヒンジ１４と連結部材１５と第３のヒンジ１６とＴ字形の第２のレバー部材１７と第４のヒンジ１８とを有する。第１〜第４のヒンジ１２、１４、１６、１８は図示のように、リンク部材１０の薄肉部として構成されてよい。
【００３７】
第１のレバー部材１３は垂直に配置されてよく、その外面には録画釦１０１が装着されている。上述のように、録画釦１０１は第１のレバー部材１３と一体的に形成されてよい。録画釦１０１はフロントパネル３の開口部３Ｃより突出するように設けられている。図４を参照して説明したように、第１のヒンジ１２はフレームの横枠部材８−３の突起８−３Ａに装着されている。第４のヒンジ１８はそれぞれフレームの下枠部材８−２に装着されている。
【００３８】
第１のリンク部材１０の構造は、図６、図７及び図８を参照して説明した第２のリンク部材２０と比較して、縦の長さが短く、第１のヒンジ１２がフレームの上枠部材８−１の代わりに横枠部材８−３の突起８−３Ａに装着されている点が異なる。また、第１のレバー部材１３には、早送り／キュー釦１０２の代わりに録画釦１０１が装着されている点が異なる。しかしながら、その動作は基本的には第２のリンク部材２０と同様である。
【００３９】
即ち、録画釦１０１を押すと、第１のレバー部材１３は第１のヒンジ１２を通る紙面に垂直な枢動軸線周りに枢動する。それによって第１のレバー部材１３の下端は矢印にて示すように水平方向内方に移動する。第１のレバー部材１３の下端の移動は、連結部材１５を介してＴ字形の第２のレバー部材１７に伝達される。それによって、第２のレバー部材１７は第４のヒンジ１８を通る紙面に垂直な枢動軸線周りに枢動する。第２のレバー部材１７のアーム１７Ｂの先端は下方に移動し、スイッチ２１１が作動する。
【００４０】
尚、巻き戻し／レビュー釦１０５に対応して設けられた第５のリンク部材５０は、第２のリンク部材２０と同様な構造及び機能を有してよい。又、一時停止釦１０６に対応して設けられた第６のリンク部材６０は、第１のリンク部材１０と同様な構造及び機能を有してよい。従って、第５のリンク部材５０及び第６のリンク部材６０の構造及び機能の説明は省略する。
【００４１】
上述の本発明のリンク装置の第１の例では、リンク部材１０、２０、３０、４０、５０、６０は互いに異なる第１及び第４のヒンジを通る枢動軸周りに回転し、第１及び第４のヒンジはそれぞれ固定されている。従って、リンク部材の第１のレバー部材に装着された押し釦の操作感が良好となる特徴を有する。
【００４２】
図１２及び図１３を参照して本発明の第２の例を説明する。図１２には、本例のリンク機構に含まれる１つのリンク部材７０のみを示す。このリンク部材７０は第１のヒンジ７２と第１のレバー部材７３と第２のヒンジ７４と連結部材７５と第３のヒンジ７６とＴ字形の第２のレバー部材７７と第４のヒンジ７８とを有する。第２のレバー部材７７のアーム７７Ｂの下側にはプリント配線基板２００に装着されたスイッチ２１７が配置されている。
【００４３】
本例のリンク部材７０を上述のリンク部材１０、２０、３０、４０、５０、６０と比較すると、ヒンジの構造及び第１のレバー部材７３の構造が異なる。本例の第１〜第４のヒンジ７２、７４、７６、７８は図示のように、軸７２Ａ、７４Ａ、７６Ａ、７８Ａを含む蝶番によって構成されている。第１のヒンジ７２及び第４のヒンジ７８の軸７２Ａ、７８Ａは、フレーム８−１、８−２に装着されてよいが、キャビネット３に直接装着されてよい。ヒンジとして薄肉部を使用する代わりに蝶番を使用することによって、ヒンジの剛性が高くなる利点がある。特に、ヒンジの捻れに対する剛性が高くなる。
【００４４】
第１のレバー部材７３は、垂直部分７３−１と水平部分７３−２からなるＬ字形に形成されてよい。その外面には適当な押し釦１０７が装着されている。この例では、押し釦１０７はキャビネット３の前面の凹部に配置されたばね１０８によって復元力を付与されている。
【００４５】
押し釦１０７は第１のレバー部材７３の垂直部分７３−１に装着されている。従って、力の作用線とスイッチ２１７に加わる力の作用線はずれる。即ち、２つの力の作用線は同一平面上にない。押し釦１０７に加えられる力によって、第２のレバー部材７７には捻り力が作用する。しかしながら、ヒンジは蝶番によって構成されているため、十分が剛性があり、第２のレバー部材７７に捻り力が加えられてもヒンジが変形することはない。第１のレバー部材７３の水平部分７３−２の長さを変化させることによって押し釦１０７の水平方向の位置を変化さえることができる。
【００４６】
図１４及び図１５を参照して本発明の第３の例を説明する。図１４及び図１５には、本例のリンク機構に含まれる１つのリンク部材８０のみを示す。このリンク部材８０は第１のヒンジ８２と第１のレバー部材８３と弾性部材８５とＬ字形の第２のレバー部材８７と第２のヒンジ８８とを有する。
【００４７】
本例のリンク部材８０を上述のリンク部材１０、２０、３０、４０、５０、６０と比較すると、ヒンジ８２、８８の構造が異なり、また、連結部材及びその両側のヒンジの代わりに弾性部材８５を使用する点が異なる。本例の第１及び第２のヒンジ８２、８８は薄い板ばね８２Ａ、８８Ａとそれを保持する溝８２Ｂ、８８Ｂからなる。第１及び第２のヒンジの板ばね８２Ａ、８８Ａ、第１及び第２のレバー部材８３、８７及び弾性部材８５は一体的に構成されてよい。第１及び第２のヒンジ８２、８８の溝８２Ｂ、８８Ｂはフレーム８−１、８−２に設けられてよく、又はキャビネット３に直接設けられてよい。尚、この図では、連結部材全体が弾性部材８５となっているが、連結部材の一部、例えば、中央部分のみを弾性部材となるように構成してよい。
【００４８】
図１５に示すように、第１のレバー部材８３に設けられた押し釦１０９を押すと、第１のレバー部材８３は第１のヒンジ８２を通る枢動軸線周りに枢動し、その変位は弾性部材８５を経由して第２のレバー部材８７に伝達される。第２のレバー部材８７は第２のヒンジ８８を通る枢動軸線周りに枢動し、アーム８７Ｂの先端は下方に移動する。それによって、アーム８７Ｂの先端の下側に配置されたスイッチ２１８が作動する。
【００４９】
第１のレバー部材８３は反時計方向に枢動し、第２のレバー部材８７は時計方向に枢動する。従って、第１のレバー部材８３の下端の運動軌跡と第２のレバー部材８７の上端の運動軌跡は同一とはならない。本例では、弾性部材８５の変形によって、２つの運動軌跡の間のずれが吸収される。
【００５０】
図１２〜図１５に示した第２及び第３の例において、リンク部材７０、８０は、早送り／キュー釦１０２又は巻き戻し／レビュー釦１０５を操作するためのものであってよく、又は録画釦１０１又は一時停止釦１０６を操作するためものであってよい。勿論、再生／停止釦１００を操作するためのものであってよい。
【００５１】
図１６及び図１７を参照して、再生／停止釦１００の第２の例を説明する。本例の再生／停止釦１００は図１６Ａ及び図１６Ｂに示すように略円盤状のカバー部材１５０と図１６Ｃ及び図１６Ｄに示すように枠部材１６０とを有する。カバー部材１５０の表面には、再生を意味する上側の三角形と停止を意味する下側の四角形が表示されている。また、三角形の上側には、触覚にて再生／停止釦１００を検知することができるように小さな突起１５０Ａが設けられている。カバー部材１５０の裏面には互いに直交する直径に沿って配置された２対の突起が形成されている。
【００５２】
水平な直径に沿って配置された第１の対の突起１５１、１５３は、それぞれ、枢動軸１５１Ａ、１５３Ａ及びそれを支持する支持部材１５１Ｂ、１５３Ｂを含む。垂直な直径に沿って配置された第２の対の突起１５５、１５７は、それぞれ、当接部１５５Ａ、１５７Ａ及びその横の肩部１５５Ｂ、１５７Ｂを含む。カバー部材１５０の裏面には更に水平な直径に沿って第３の対の突起１５９Ａ、１５９Ｂが設けられている。
【００５３】
枠部材１６０はカバー部材１５０を受け入れるための凹部１６０Ａを有し、この凹部の底面には、カバー部材１５０の第１及び第２の対の突起１５１、１５３、１５５、１５７に対応して且つそれを受け入れるための２対の開口１６１、１６３、１６５、１６７が設けられている。第１の対の開口１６１、１６３の縁には、枢動軸１５１Ａ、１５３Ａを受け入れるための軸受け部１６２、１６４が設けられている。第２の対の開口１６５、１６７には、開口を横断する方向に延在するばね部材１６６、１６８が設けられている。ばね部材１６６、１６８は図示のように枠部材１６０の一部の薄肉部として枠部材１６０と一体構造に形成されてよい。
【００５４】
枠部材１６０の凹部１６０Ａの底面には更に、第１の対の開口１６１、１６３の間に突起１６９が設けられている。この突起はカバー部材１５０の第３の対の突起１５９Ａ、１５９Ｂに対応して設けられ、組立工程にて、カバー部材１５０が枠部材１６０に対して誤った方向に装着されることを防止するために設けられている。
【００５５】
枠部材１６０の周囲には４本の爪１７１、１７２、１７３、１７４が設けられ、この爪の先端には突起が設けられている。この４本の爪はキャビネットの対応する開口部に挿入されるように構成されている。図示のように、４本の爪のうち上側の２本は比較的長く、下側の２本は比較的短くてよい。カバー部材及び枠部材はそれぞれ、モールド成型法によって一体的に形成されてよい。
【００５６】
本例の再生／停止釦１００は、カバー部材１５０を枠部材１６０の凹部１６０Ａに挿入することによって組み立てられる。カバー部材１５０の第１及び第２の対の突起１５１、１５３、１５５、１５７はそれぞれ対応する枠部材１６０の第１及び第２の対の開口１６１、１６３、１６５、１６７に挿入される。カバー部材１５０の枢動軸１５１Ａ、１５３Ａはそれぞれ対応する枠部材１６０の軸受け部１６２、１６４に係合する。カバー部材１５０の肩部１５５Ｂ、１５７Ｂは枠部材１６０のばね部材１６６、１６８の当接する。
【００５７】
枠部材１６０の突起１６９は、カバー部材１５０の第３の対の突起１５９Ａ、１５９Ｂの間に配置される。枠部材１６０の突起１６９は、カバー部材１５０と枠部材１６０の間の水平方向の相対的なずれを阻止するためのストッパとして機能させてもよい。カバー部材１５０の第３の対の突起１５９Ａ、１５９Ｂは枠部材１６０の凹部１６０Ａの底面に当接する。カバー部材１５０の第３の対の突起１５９Ａ、１５９Ｂは、カバー部材１５０と枠部材１６０が互いに近づくのを阻止するためのストッパとして機能する。枢動軸１５１Ａ、１５３Ａと軸受け部１６２、１６４の係合によって、カバー部材１５０と枠部材１６０は互いに離れる方向に移動することが阻止される。
【００５８】
図１７に示すように、組み立てられた本例の再生／停止釦１００はキャビネット３の開口３Ｂに挿入される。図示のように、カバー部材１５０の第２の対の突起１５５、１５７の当接部１５５Ａ、１５７Ａはそれぞれ第３及び第４のリンク部材３０、４０に当接している。
【００５９】
カバー部材１５０の表面の再生を意味する三角形の部分を押すと、カバー部材１５０は枢動軸１５１Ａ、１５３Ａ周りに時計方向に枢動し、カバー部材１５０の第２の対の突起の上側の突起１５５の当接部１５５Ａ及び肩部１５５Ｂが内方に移動する。当接部１５５Ａの移動によって第３のリンク部材３０が移動する。肩部１５５Ｂの移動によってばね部材１６６は変形し、カバー部材１５０はばね部材１６６より復元力、即ち、反時計方向の枢動力を受ける。
【００６０】
カバー部材１５０の表面の停止を意味する四角形の部分を押すと、カバー部材１５０は枢動軸１５１Ａ、１５３Ａ周りに反時計方向に枢動し、カバー部材１５０の第２の対の突起の下側の突起１５７の当接部１５７Ａ及び肩部１５７Ｂが内方に移動する。当接部１５７Ａの移動によって第４のリンク部材４０が移動する。肩部１５７Ｂの移動によってばね部材１６８は変形し、カバー部材１５０はばね部材１６８より復元力、即ち、時計方向の枢動力を受ける。
【００６１】
以上本発明の実施例について詳細に説明してきたが、本発明は上述の実施例に限ることなく本発明の要旨を逸脱することなく他の種々の構成が採り得ることは当業者にとって容易に理解されよう。
【００６２】
【発明の効果】
本発明によると、押し釦の位置を自由に選択することが比較的容易な且つ押し釦装置の操作性が良好な電子機器及びそのような押し釦装置のリンク装置を提供することができる利点を有する。
【００６３】
本発明によると、比較的高価な縦型のスイッチを使用すること無く、比較的安価な平面型のスイッチを使用することができる利点を有する。
【００６４】
本発明によると、レバー部材がヒンジによって片持ち支持された構造を含まないため、モールド成型によってこれを製造するとき、ヒンジの肉薄部にて湾曲して不良品が発生するということが回避される利点を有する。
【図面の簡単な説明】
【図１】本発明の電子機器の外観を示す図である。
【図２】図１の電子機器のフロントパネルの押し釦を示す図である。
【図３】本発明のリンク装置の正面の構造を示す斜視図である。
【図４】本発明のリンク装置の背面の構造を示す斜視図である。
【図５】本発明のリンク装置と押し釦の関係を示す正面図である。
【図６】本発明のリンク装置のリンク部材の斜視図である。
【図７】図３及び図５の線Ａ−Ａに沿った本発明のリンク装置の断面図である。
【図８】押し釦を押した状態を示す図３及び図５の線Ａ−Ａに沿った本発明のリンク装置の断面図である。
【図９】図３及び図５の線Ｂ−Ｂに沿った本発明のリンク装置の断面図である。
【図１０】図３及び図５の線Ｃ−Ｃに沿った本発明のリンク装置の断面図である。
【図１１】図３及び図５の線Ｄ−Ｄに沿った本発明のリンク装置の断面図である。
【図１２】本発明のリンク装置の第２の例の一部を示す斜視図である。
【図１３】図１２の第２の例の断面図である。
【図１４】本発明のリンク装置の第３の例の一部を示す斜視図である。
【図１５】押し釦を押した状態を示す図１４の第３の例の斜視図である。
【図１６】本発明のリンク装置の釦の構造を示す図である。
【図１７】図１６の釦の構造を示す断面図である。
【図１８】従来のリンク装置の第１の例の一部を示す斜視図である。
【図１９】図１８の第１の例の断面図である。
【図２０】従来のリンク装置の第２の例の一部を示す斜視図である。
【図２１】図２０の第２の例の断面図である。
【符号の説明】
１…電子機器（ＶＴＲ）、  ２…本体、  ３…フロントパネル、  ４…カセット挿入口、  ５…表示パネル、  ７−１，７−１…脚部、  ８…フレーム、  １０，２０，３０，４０，５０，６０，７０…リンク部材、  １００，１０１，１０２，１０５，１０６…釦、  ２００…プリント配線基板、  ２１０，２１１，２１２，２１３，２１４，２１７，２１８，２２０…スイッチ
【図１】
0004401552.tif 000002
【図２】
0004401552.tif 000003
【図３】
0004401552.tif 000004
【図４】
0004401552.tif 000005
【図５】
0004401552.tif 000006
【図６】
0004401552.tif 000007
【図７】
0004401552.tif 000008
【図８】
0004401552.tif 000009
【図９】
0004401552.tif 000010
【図１０】
0004401552.tif 000011
【図１１】
0004401552.tif 000012
【図１２】
0004401552.tif 000013
【図１３】
0004401552.tif 000014
【図１４】
0004401552.tif 000015
【図１５】
0004401552.tif 000016
【図１６】
0004401552.tif 000017
【図１７】
0004401552.tif 000018
【図１８】
0004401552.tif 000019
【図１９】
0004401552.tif 000020
【図２０】
0004401552.tif 000021
【図２１】
0004401552.tif 000022